(57)【要約】
【課題】　手軽に髪の色や長さを変えられ、軽量で着用感が良い付け毛の提供。
【解決手段】　適宜長さの人工毛髪を束ね、切り揃えた一端部を接着剤等で固めて接続部１５を形成した人工髪束１１と、熱可塑性樹脂を素材とする中空筒状のリング１２から成り、着用者の頭髪を束ねて先端部を接着剤等で固めた天然髪束１３の先端部と、人工髪束１１の接続部１５がリング１２の両端から挿入され、外周側から加圧・加熱されて変形したリング１２により、天然髪束１３の先端部と人工髪束１１の接続部１５が接続される。
【選択図】　　　　　図７
0003100503.tif 000002
【実用新案登録請求の範囲】
【請求項１】
　適宜長さの人工毛髪を束ね、その切り揃えた一端部を接着剤等で固めて接続部を形成した人工髪束と、熱可塑性樹脂を素材とする中空筒状のリングとから成り、着用者の頭髪を束ねてその先端部を接着剤等で固めた天然髪束の先端部と、前記人工髪束の接続部が前記リングの両端からそれぞれ挿入され、外周側から加圧・加熱されて変形した前記リングによって、前記天然髪束の先端部と前記人工髪束の接続部とが接続されることを特徴とした付け毛。
【請求項２】
　前記リングが、複数色の内から選択可能である請求項１に記載の付け毛。
【請求項３】
　前記人工髪束は、適宜色に染色可能である請求項１又は２に記載の付け毛。
【請求項４】
　前記人工髪束が、三つ編み等に形作られている請求項１乃至３のいずれかに記載の付け毛。
【考案の詳細な説明】
【技術分野】
【０００１】
　本考案は、頭髪の適宜個所に任意数着脱自在に装着される付け毛に関する。
【背景技術】
【０００２】
　髪の毛は頭部を守る機能を有する以外に、髪型を変えることによって外観や雰囲気を変える効果もある。髪型を変えるには、自然の毛髪をカットしたり、染めたり、結い上げる外に、異なるスタイルのウィッグを装着するなど、多数の手段がある。
　しかし、自分自身の毛髪をカットしたり染めると、頻繁に変更することができず、時間と共に変化して再度調髪してもらわなければならないので、経済的でなかった。さらに、長い髪をカットすることはできるが、短い髪を短時間で長く延ばすのは不可能であった。
　また、頭部の全面や一部を覆うウィッグを装着すると、頭部に熱がこもり易いために、長時間使用するには適さない。
【０００３】
　そこで、人工毛髪の束を本来の頭髪に結びつけて、髪の長さや色を変えるエクステンションと称される付け毛が使用されている。
　ところが、このような従来の付け毛は、金属線により人工毛髪の束を着用者の毛髪に結びつけているので、多数の付け毛を装着すると金属線の使用量が多くなって頭部が重くなり、このため、着用者に不快感を与え、長時間の使用には適さない。
　また、髪型を長時間維持することができず、水洗いもできないため、実用性に欠ける。
【考案の開示】
【考案が解決しようとする課題】
【０００４】
　本考案が解決しようとする課題は、手軽に髪の色や長さを変化させることができ、軽量で着用感が良い付け毛を提供することにある。
【課題を解決するための手段】
【０００５】
　本考案の付け毛は、適宜長さの人工毛髪を束ね、その切り揃えた一端部を接着剤等で固めて接続部を形成した人工髪束と、熱可塑性樹脂を素材とする中空筒状のリングとから成り、着用者の頭髪を束ねてその先端部を接着剤等で固めた天然髪束の先端部と、前記人工髪束の接続部が前記リングの両端から挿入され、外周側から加圧・加熱されて変形した前記リングによって、前記天然髪束の先端部と前記人工髪束の接続部が接続される。
　リングは、複数色の内から選択可能としても良い。
　人工髪束は、適宜色に染色可能とすることもできる。
　前記人工髪束を、三つ編み等に形作ることもある。
【考案の効果】
【０００６】
　本考案によれば、人工髪束と天然髪束とを接続するリングが軽量でコンパクトなので、着用者に違和感を与えることが無く、人工髪束を容易に着脱することができるため、手軽に髪の色や長さを変化させることができる。
　また、人工髪束と天然髪束とがリングによって強固に接続されるので、人工髪束を天然髪束に装着した後も、本来の頭髪のように洗髪、乾燥、カット、染色、セット等を行うことができる。
【考案を実施するための最良の形態】
【０００７】
　以下、本考案の実施例を図面に基づいて詳細に説明する。
　本考案の付け毛は、図１乃至図３に示すように、人工髪束１１と、リング１２とから成り、着用者の頭髪２０の適宜個所に任意数装着される。
　人工髪束１１は、図５に示すように、適宜長さの人工毛髪を束ねて成り、両端部を切り揃えてある。また、人工髪束１１の一端部を接着剤等で固めて、接続部１５を形成してある。
　なお、人工髪束１１は、着用者の好みや頭髪２０の色に応じて適宜色に染色することができる。また、人工髪束１１は、三つ編みに編んだり、カールを付けたり、ソバージュウェーブを付けるなどして、適宜形状に形作ることも可能である。
【０００８】
　リング１２は、図４に示すように、溶融した熱可塑性樹脂を中空円筒状に成形して成り、中心軸に沿って透孔１４が形成されている。
　また、使用するリング１２は、多数色の内から着用者が好みに応じて任意に選択することができる。
【０００９】
　この付け毛を装着するには、図３及び図６に示すように、付け毛接続部分１０において、頭髪２０の一部を選んで束にし、その先端部（約１ｃｍの長さ）を接着剤等で固めて天然髪束１３を形成する。
　次いで、図７及び図８に示すように、天然髪束１３の先端部をリング１２の一端側から透孔１４に差し込むと共に、人工髪束１１の接続部１５を他端側から透孔１４へ差し込む。
　次に、図９に示すように、リング１２を工具３０で外周側から加圧・加熱して変形させると共に、透孔１４を収縮させ、この変形したリング１２によって、天然髪束１３の先端部と人工網束１２の接続部１３とを接続する。
【００１０】
　リング１２を加圧・加熱する工具３０は、リング１２を挟む開閉自在な挟持部３２と、電源コード３１とを備えたペンチ状の道具であって、電源コード３１を介して外部から給電されると、リング１２を挟み付けて加圧した挟持部３２を、天然髪束１３と人工髪束１１が接続される温度まで加熱することができる。
　勿論、図示以外のものであっても、リング１２に対して熱と圧力を加えることができるものであれば使用することができる。
　なお、人工髪束１１は天然髪束１３と接続する前に染色したり、形作ることもできるし、天然髪束１３と接続した後に、本来の頭髪と同様にして洗髪、乾燥、カット、染色、セット等を行うこともできる。
【図面の簡単な説明】
【００１１】
【図１】付け毛装着前の着用者の頭部斜視図。
【図２】付け毛装着時の着用者の頭部斜視図。
【図３】付け毛接続部分の拡大図。
【図４】リングの斜視図。
【図５】人工髪束の斜視図。
【図６】付け毛取付部分における着用者の頭髪の斜視図。
【図７】付け毛取付過程の第１段階を示す斜視図。
【図８】付け毛取付過程の第２段階を示す斜視図。
【図９】付け毛取付過程の第３段階を示す斜視図。
【符号の説明】
【００１２】
　１０　付け毛接続部分
　１１　人工髪束
　１２　リング
　１３　天然髪束
　１４　透孔
　１５　接続部
　２０　頭髪
　３０　工具
　３１　電源コード
　３２　挟持部
【図１】
0003100503.tif 000003
【図２】
0003100503.tif 000004
【図３】
0003100503.tif 000005
【図４】
0003100503.tif 000006
【図５】
0003100503.tif 000007
【図６】
0003100503.tif 000008
【図７】
0003100503.tif 000009
【図８】
0003100503.tif 000010
【図９】
0003100503.tif 000011